(57)【特許請求の範囲】
【請求項１】
中継装置に接続された電話機あるいは中継装置が備える電話機能を用いてコンテンツ提供装置に電話を掛けて前記中継装置と前記コンテンツ提供装置との間に通信路を確立し、前記中継装置に接続された端末装置に前記通信路を介してコンテンツを提供するコンテンツ提供方法であって、
前記コンテンツ提供装置による、
前記中継装置からの電話の接続要求を受け付けて前記中継装置との間に通信路を確立するステップと、
当該コンテンツ提供装置が提供するコンテンツを受信するための情報を記載したアクセス情報を前記通信路を介して送信するステップと、
前記端末装置から前記通信路を介して要求を受信したときに、前記通信路を介してコンテンツを送信するステップと、を有し、
前記中継装置による、
電話の接続要求を前記コンテンツ提供装置に送信して前記コンテンツ提供装置との間に通信路を確立するステップと、
前記通信路を介して前記アクセス情報を受信したときに、当該アクセス情報を一意に特定可能な仮想アクセス情報を生成し、生成した前記仮想アクセス情報を送信する端末装置を決定し、当該端末装置に前記仮想アクセス情報を送信するステップと、
前記端末装置から前記仮想アクセス情報に基づく要求を受信した場合、当該要求の送信先を前記仮想アクセス情報に対応する前記アクセス情報に基づく送信先へ変換し、前記通信路を介して前記要求を前記コンテンツ提供装置へ送信し、前記コンテンツ提供装置から前記通信路を介して送信されたコンテンツを前記端末装置へ送信するステップと、を有すること
を特徴とするコンテンツ提供方法。
【請求項２】
請求項１記載のコンテンツ提供方法とともに用いられるコンテンツ取得方法であって、
前記コンテンツ提供装置が送信したコンテンツに別のコンテンツを取得する内容が含まれていたときに、当該別のコンテンツの取得先が前記仮想アクセス情報に基づくものでない場合、当該別のコンテンツを取得しないことを特徴とするコンテンツ取得方法。
【請求項３】
請求項１記載のコンテンツ提供方法とともに用いられるコンテンツ取得方法であって、
前記コンテンツ提供装置が送信したコンテンツに別のコンテンツを取得する内容が含まれていたときに、当該別のコンテンツの取得先が前記仮想アクセス情報に基づくものでない場合、当該別のコンテンツの取得先を前記仮想アクセス情報に基づくものに変更して当該コンテンツの取得要求を送信することを特徴とするコンテンツ取得方法。
【請求項４】
中継装置に接続された電話機あるいは中継装置が備える電話機能を用いてコンテンツ提供装置に電話を掛けて前記中継装置と前記コンテンツ提供装置との間に通信路を確立し、前記中継装置に接続された端末装置に前記通信路を介してコンテンツを提供するコンテンツ提供システムであって、
前記コンテンツ提供装置は、
前記中継装置からの電話の接続要求を受け付けて前記中継装置との間に通信路を確立する電話制御手段と、
当該コンテンツ提供装置が提供するコンテンツを受信するための情報を記載したアクセス情報を前記通信路を介して送信するアクセス応答手段と、
前記端末装置から前記通信路を介して要求を受信したときに、前記通信路を介してコンテンツを送信するコンテンツ送信手段と、を有し、
前記中継装置は、
電話の接続要求を前記コンテンツ提供装置に送信して前記コンテンツ提供装置との間に通信路を確立する電話制御手段と、
前記通信路を介して前記アクセス情報を受信したときに、当該アクセス情報を一意に特定可能な仮想アクセス情報を生成し、生成した前記仮想アクセス情報を送信する端末装置を決定し、当該端末装置に前記仮想アクセス情報を送信するアクセス情報処理手段と、
前記端末装置から前記仮想アクセス情報に基づく要求を受信した場合、当該要求の送信先を前記仮想アクセス情報に対応する前記アクセス情報に基づく送信先へ変換し、前記通信路を介して前記要求を前記コンテンツ提供装置へ送信し、前記コンテンツ提供装置から前記通信路を介して送信されたコンテンツを前記端末装置へ送信する中継手段と、を有すること
を特徴とするコンテンツ提供システム。
【請求項５】
請求項４記載のコンテンツ提供システムを利用する端末装置であって、
前記コンテンツ提供装置が送信したコンテンツに別のコンテンツを取得する内容が含まれていたときに、当該別のコンテンツの取得先が前記仮想アクセス情報に基づくものでない場合、当該別のコンテンツを取得しないことを特徴とする端末装置。
【請求項６】
請求項４記載のコンテンツ提供システムを利用する端末装置であって、
前記コンテンツ提供装置が送信したコンテンツに別のコンテンツを取得する内容が含まれていたときに、当該別のコンテンツの取得先が前記仮想アクセス情報に基づくものでない場合、当該別のコンテンツの取得先を前記仮想アクセス情報に基づくものに変更して当該コンテンツの取得要求を送信することを特徴とする端末装置。
【発明の詳細な説明】
【技術分野】
【０００１】
本発明は、ネットワークを介してコンテンツ提供する技術に関する。
【背景技術】
【０００２】
ＮＧＮ（Ｎｅｘｔ  Ｇｅｎｅｒａｔｉｏｎ  Ｎｅｔｗｏｒｋ）に代表される管理されたネットワークを利用するためには、ネットワークに対して接続先と利用帯域を申請し、ネットワークから利用許可が得られて初めて接続先に接続することが可能となる。例えば、このようなネットワークを前提とした電話サービスでは、利用者が接続先となる電話番号を入力すると、電話機あるいはＨＧＷ（Ｈｏｍｅ  Ｇａｔｅｗａｙ）と呼ばれるネットワーク中継装置がネットワーク利用手順を自動的に行うことで接続先と１対１で接続された通信路を確立し、その通信路を利用して音声データを送受信して電話サービスを利用する。
【０００３】
一方、Ｗｅｂサービスを利用する際に使用する一般的なＷｅｂブラウザは、インターネットのような公衆ネットワークを利用することを前提としているため、管理されたネットワークを利用するためのネットワーク利用手順を自動的に行う仕組みを持っていない。
【先行技術文献】
【特許文献】
【０００４】
【特許文献１】特開２００９−０２７６５２号公報
【特許文献２】特開２００９−２６０８４７号公報
【特許文献３】特開２００９−３０３０７８号公報
【特許文献４】特開２００９−１７６２８９号公報
【発明の概要】
【発明が解決しようとする課題】
【０００５】
インターネットのような公衆ネットワークを介してＷｅｂサービスを受ける場合、Ｗｅｂブラウザを使って、ＵＲＬ（Ｕｎｉｆｏｒｍ  Ｒｅｓｏｕｒｃｅ  Ｌｏｃａｔｏｒ）の直接入力、検索サービスの利用、あるいはメール等に記載されたＵＲＬのクリックといった手段により、サービス提供者のＷｅｂサイトにアクセスすることでサービスを受けるのが一般的である。クリックだけで簡単にＷｅｂサイトにアクセス可能である反面、クリックする前にＵＲＬを厳密に確認しなければ、フィッシングサイト等の悪意のあるＷｅｂサイトにアクセスしてしまい、結果として銀行口座のパスワード等を詐取されてしまうという問題があった。ＵＲＬを直接入力する場合では、間違えてＵＲＬを入力することもある。間違えて入力したＵＲＬの接続先が所望の接続先に似せたＷｅｂサイトであった場合、利用者は間違えに気づかずにＩＤ、パスワード等を入力してしまう可能性がある。
【０００６】
本発明は、上記に鑑みてなされたものであり、その課題とするところは、意図しないサービス提供者へのアクセスを抑制することを目的とする。
【課題を解決するための手段】
【０００７】
第１の本発明に係るコンテンツ提供方法は、中継装置に接続された電話機あるいは中継装置が備える電話機能を用いてコンテンツ提供装置に電話を掛けて前記中継装置と前記コンテンツ提供装置との間に通信路を確立し、前記中継装置に接続された端末装置に前記通信路を介してコンテンツを提供するコンテンツ提供方法であって、前記コンテンツ提供装置による、前記中継装置からの電話の接続要求を受け付けて前記中継装置との間に通信路を確立するステップと、当該コンテンツ提供装置が提供するコンテンツを受信するための情報を記載したアクセス情報を前記通信路を介して送信するステップと、前記端末装置から前記通信路を介して要求を受信したときに、前記通信路を介してコンテンツを送信するステップと、を有し、前記中継装置による、電話の接続要求を前記コンテンツ提供装置に送信して前記コンテンツ提供装置との間に通信路を確立するステップと、前記通信路を介して前記アクセス情報を受信したときに、当該アクセス情報を一意に特定可能な仮想アクセス情報を生成し、生成した前記仮想アクセス情報を送信する端末装置を決定し、当該端末装置に前記仮想アクセス情報を送信するステップと、前記端末装置から前記仮想アクセス情報に基づく要求を受信した場合、当該要求の送信先を前記仮想アクセス情報に対応する前記アクセス情報に基づく送信先へ変換し、前記通信路を介して前記要求を前記コンテンツ提供装置へ送信し、前記コンテンツ提供装置から前記通信路を介して送信されたコンテンツを前記端末装置へ送信するステップと、を有することを特徴とする。
【０００８】
第２の本発明に係るコンテンツ取得方法は、上記コンテンツ提供方法とともに用いられるコンテンツ取得方法であって、前記コンテンツ提供装置が送信したコンテンツに別のコンテンツを取得する内容が含まれていたときに、当該別のコンテンツの取得先が前記仮想アクセス情報に基づくものでない場合、当該別のコンテンツを取得しないことを特徴とする。
【０００９】
第３の本発明に係るコンテンツ取得方法は、上記コンテンツ提供方法とともに用いられるコンテンツ取得方法であって、前記コンテンツ提供装置が送信したコンテンツに別のコンテンツを取得する内容が含まれていたときに、当該別のコンテンツの取得先が前記仮想アクセス情報に基づくものでない場合、当該別のコンテンツの取得先を前記仮想アクセス情報に基づくものに変更して当該コンテンツの取得要求を送信することを特徴とする。
【００１０】
第４の本発明に係るコンテンツ提供システムは、中継装置に接続された電話機あるいは中継装置が備える電話機能を用いてコンテンツ提供装置に電話を掛けて前記中継装置と前記コンテンツ提供装置との間に通信路を確立し、前記中継装置に接続された端末装置に前記通信路を介してコンテンツを提供するコンテンツ提供システムであって、前記コンテンツ提供装置は、前記中継装置からの電話の接続要求を受け付けて前記中継装置との間に通信路を確立する電話制御手段と、当該コンテンツ提供装置が提供するコンテンツを受信するための情報を記載したアクセス情報を前記通信路を介して送信するアクセス応答手段と、前記端末装置から前記通信路を介して要求を受信したときに、前記通信路を介してコンテンツを送信するコンテンツ送信手段と、を有し、前記中継装置は、電話の接続要求を前記コンテンツ提供装置に送信して前記コンテンツ提供装置との間に通信路を確立する電話制御手段と、前記通信路を介して前記アクセス情報を受信したときに、当該アクセス情報を一意に特定可能な仮想アクセス情報を生成し、生成した前記仮想アクセス情報を送信する端末装置を決定し、当該端末装置に前記仮想アクセス情報を送信するアクセス情報処理手段と、前記端末装置から前記仮想アクセス情報に基づく要求を受信した場合、当該要求の送信先を前記仮想アクセス情報に対応する前記アクセス情報に基づく送信先へ変換し、前記通信路を介して前記要求を前記コンテンツ提供装置へ送信し、前記コンテンツ提供装置から前記通信路を介して送信されたコンテンツを前記端末装置へ送信する中継手段と、を有することを特徴とする。
【００１１】
第５の本発明に係る端末装置は、上記コンテンツ提供システムを利用する端末装置であって、前記コンテンツ提供装置が送信したコンテンツに別のコンテンツを取得する内容が含まれていたときに、当該別のコンテンツの取得先が前記仮想アクセス情報に基づくものでない場合、当該別のコンテンツを取得しないことを特徴とする。
【００１２】
第６の本発明に係る端末装置は、上記コンテンツ提供システムを利用する端末装置であって、前記コンテンツ提供装置が送信したコンテンツに別のコンテンツを取得する内容が含まれていたときに、当該別のコンテンツの取得先が前記仮想アクセス情報に基づくものでない場合、当該別のコンテンツの取得先を前記仮想アクセス情報に基づくものに変更して当該コンテンツの取得要求を送信することを特徴とする。
【発明の効果】
【００１３】
本発明によれば、意図しないサービス提供者へのアクセスを抑制することができる。
【図面の簡単な説明】
【００１４】
【図１】本実施の形態におけるコンテンツ提供システムの構成を示す概略図である。
【図２】本実施の形態におけるコンテンツ提供システムのＷｅｂサーバの構成を示す機能ブロック図である。
【図３】本実施の形態におけるコンテンツ提供システムの中継装置の構成を示す機能ブロック図である。
【図４】本実施の形態におけるコンテンツ提供システムのブラウザ装置の構成を示す機能ブロック図である。
【図５】本実施の形態におけるコンテンツ提供システムの処理の流れを示すシーケンス図である。
【図６】アクセス情報を仮想アクセス情報に変換する例を示す模式図である。
【発明を実施するための形態】
【００１５】
以下、本発明の実施の形態について図面を用いて説明する。
【００１６】
図１は、本実施の形態におけるコンテンツ提供システムの構成を示す概略図である。本実施の形態におけるコンテンツ提供システムは、ＮＧＮなどの管理されたネットワーク１００を介して接続されるＷｅｂサーバ１と中継装置２を備える。中継装置２には電話機４が接続されるとともに、宅内ネットワーク２００を介してブラウザ装置３が接続される。
【００１７】
電話機４は、いわゆるアナログ電話機である。中継装置２に電話機４を接続することで、中継装置２が電話機４をＩＰ電話機として動作させる。電話機４から中継装置２を介してＷｅｂサーバ１に電話を掛けることでネットワーク１００上に接続パス１０１が確保されて、Ｗｅｂサーバ１との間で音声通信、映像通信あるいはデータ通信が可能となる。
【００１８】
ブラウザ装置３は、Ｗｅｂブラウザを導入したパーソナルコンピュータやテレビ、あるいは携帯端末などである。ブラウザ装置３は、中継装置２を介してＷｅｂサーバ１にＷｅｂリクエスト（Ｗｅｂ情報の取得要求）を送信してＷｅｂ情報を取得し、取得したＷｅｂ情報を利用者に提示する。
【００１９】
本実施の形態におけるコンテンツ提供システムは、電話機４からＷｅｂサーバ１に電話を掛けて中継装置２とＷｅｂサーバ１との間に接続パス１０１を確立し、その接続パス１０１を利用して、Ｗｅｂサーバ１がＷｅｂ情報をブラウザ装置３へ送信するものである。以下、各装置の構成について説明する。
【００２０】
図２は、本実施の形態におけるコンテンツ提供システムのＷｅｂサーバ１の構成を示す機能ブロック図である。同図に示すようにＷｅｂサーバ１は、電話制御部１１、アクセス情報応答部１２、Ｗｅｂ応答部１３、およびコール情報記憶部１４を備える。
【００２１】
電話制御部１１は、中継装置２との間でＳＩＰ（Ｓｅｓｓｉｏｎ  Ｉｎｉｔｉａｔｉｏｎ  Ｐｒｏｔｏｃｏｌ）を用いて接続パス１０１を確立し、ＩＶＲ（Ｉｎｔｅｒａｃｔｉｖｅ  Ｖｏｉｃｅ  Ｒｅｓｐｏｎｓｅ：音声自動応答）等により利用者からの指示を受け付ける。
【００２２】
アクセス情報応答部１２は、ＩＶＲにより利用者がＷｅｂ情報の取得を指示した場合に、電話制御部１１が確立した接続パス１０１を用いて、Ｗｅｂ情報へのアクセス先を示すアクセス情報を送信する。アクセス情報は、Ｗｅｂサーバ１のＩＰアドレスやＷｅｂ情報のＵＲＬなどを含む情報である。
【００２３】
Ｗｅｂ応答部１３は、いわゆるＷｅｂサーバの機能を有し、ＨＴＴＰ（Ｈｙｐｅｒｔｅｘｔ  Ｔｒａｎｓｆｅｒ  Ｐｒｏｔｏｃｏｌ）を利用してＷｅｂ情報を送受信する。接続パス１０１を介してＷｅｂリクエストを受信した場合は、接続パス１０１を介してＷｅｂ情報を送信する。
【００２４】
コール情報記憶部１４は、電話制御部１１が確立した接続パス１０１を一意に識別するコールＩＤを記憶する。コールＩＤは、電話制御部１１が受信する電話接続要求に含まれている。コールＩＤから電話制御部１１により確立された接続パス１０１を特定することができる。
【００２５】
図３は、本実施の形態におけるコンテンツ提供システムの中継装置２の構成を示す機能ブロック図である。同図に示すように中継装置２は、電話機能部２１、アクセス情報処理部２２、中継部２３、および中継情報記憶部２４を備える。
【００２６】
電話機能部２１は、ＲＪ１１コネクタ等を備え電話機４を接続する。そして、コールＩＤを生成してコールＩＤを含む電話接続要求を電話制御用プロトコルとしてＳＩＰを用いてＷｅｂサーバ１に送信し、Ｗｅｂサーバ１との間に接続パス１０１を確立し、ＳＤＰ（Ｓｅｓｓｉｏｎ  Ｄｅｓｃｒｉｐｔｉｏｎ  Ｐｒｏｔｏｃｏｌ）などの伝送データ属性記述フォーマットとＲＴＰ（Ｒｅａｌｔｉｍｅ  Ｔｒａｎｓｐｏｒｔ  Ｐｒｏｔｏｃｏｌ）などの電話データ伝送プロトコルを使って電話機４をＩＰ電話機として動作させる。なお、電話機４を接続する代わりに、中継装置２が受話器、プッシュボタン等の電話機の機能を備えるものでもよい。
【００２７】
アクセス情報処理部２２は、接続パス１０１を介してアクセス情報を受信したときに、そのアクセス情報を一意に指定できる仮想アクセス情報を生成し、生成した仮想アクセス情報をブラウザ装置３へ送信する。例えば、アクセス情報がＷｅｂサーバ１のＩＰアドレスを含む場合、アクセス情報処理部２２は、そのＩＰアドレスを別のＩＰアドレスに変換した仮想アクセス情報を生成してブラウザ装置３に送信する。
【００２８】
中継部２３は、Ｗｅｂサーバ１とブラウザ装置３との間の通信を中継する。ブラウザ装置３から仮想アクセス情報に基づくＷｅｂリクエストが送信された場合、中継部２３が仮想アクセス情報をアクセス情報に変換し、接続パス１０１を介してＷｅｂサーバ１に送信する。また、Ｗｅｂサーバ１がＷｅｂリクエストに応じて送信するＷｅｂ情報をブラウザ装置３へ送信する。
【００２９】
中継情報記憶部２４は、接続パス１０１の利用、アクセス情報と仮想アクセス情報の変換等に必要な中継情報を記憶する。具体的には、電話機４とブラウザ装置３との対応関係、電話機４とコールＩＤとの対応関係、コールＩＤとアクセス情報との対応関係、およびアクセス情報と仮想アクセス情報との対応関係を記憶する。電話機４とブラウザ装置３との対応関係は予め中継情報記憶部２４に格納されている。電話機４とコールＩＤとの対応関係は、電話機４からＷｅｂサーバ１に電話を掛けて接続パス１０１が確立したときに格納される。コールＩＤとアクセス情報との対応関係はアクセス情報処理部２２が接続パス１０１を介してアクセス情報を受信したときに格納される。アクセス情報と仮想アクセス情報との対応関係は、アクセス情報処理部２２がアクセス情報に基づいて仮想アクセス情報を生成したときに格納される。電話機４とブラウザ装置３との対応関係、電話機４とコールＩＤとの対応関係は、仮想アクセス情報の送信先のブラウザ装置３を決定する際に参照される。コールＩＤとアクセス情報との対応関係、アクセス情報と仮想アクセス情報は、中継部２３がＷｅｂサーバ１とブラウザ装置３との間の通信を中継する際に参照される。
【００３０】
図４は、本実施の形態におけるコンテンツ提供システムのブラウザ装置３の構成を示す機能ブロック図である。同図に示すようにブラウザ装置３は、アクセス情報受信部３１、Ｗｅｂ情報処理部３２を備える。
【００３１】
アクセス情報受信部３１は、中継装置２から仮想アクセス情報を受信し、Ｗｅｂ情報処理部３２に、仮想アクセス情報に基づくＷｅｂリクエストを送信させる。アクセス情報受信部３１としては、例えば、ＵＰｎＰ（Ｕｎｉｖｅｒｓａｌ  Ｐｌｕｇ  ａｎｄ  Ｐｌａｙ）によりＵＲＬが通知されるとそのＵＲＬにアクセスする市販のテレビの機能を利用できる。
【００３２】
Ｗｅｂ情報処理部３２は、Ｗｅｂリクエストを送信してＷｅｂ情報を取得し、取得したＷｅｂ情報を利用者に提示する。Ｗｅｂ情報処理部３２は、いわゆるＷｅｂブラウザと同等の機能を有する。
【００３３】
なお、Ｗｅｂサーバ１、中継装置２、ブラウザ装置３が備える各部は、演算処理装置、記憶装置等を備えたコンピュータにより構成して、各部の処理がプログラムによって実行されるものとしてもよい。このプログラムはＷｅｂサーバ１、中継装置２、ブラウザ装置３が備える記憶装置に記憶されており、磁気ディスク、光ディスク、半導体メモリ等の記録媒体に記録することも、ネットワークを通して提供することも可能である。
【００３４】
次に、本実施の形態におけるコンテンツ提供システムの処理について説明する。
【００３５】
図５は、本実施の形態におけるコンテンツ提供システムの処理の流れを示すシーケンス図である。
【００３６】
利用者が電話機４によりＷｅｂサーバ１に電話を掛けると（ステップＳ１１）、中継装置２がコールＩＤを生成し、電話機４とコールＩＤとの対応関係をコール情報記憶部１４に記憶するとともに（ステップＳ１２）、ＳＩＰを用いてＷｅｂサーバ１に電話接続要求を送信する（ステップＳ１３）。電話接続要求はコールＩＤの情報を含む。
【００３７】
Ｗｅｂサーバ１が電話接続要求を受信し、管理されたネットワーク１００によりＷｅｂサーバ１と中継装置２との間に接続パス１０１が確立する（ステップＳ１４）。接続パス１０１は、管理されたネットワーク１００上で帯域を確保された中継装置２とＷｅｂサーバ１との間の通信路であり、接続パス１０１を利用してＷｅｂサーバ１と電話機４との間で音声通信が可能となる。利用者は、この音声通信を利用し、Ｗｅｂサーバ１に対してＷｅｂ情報の取得を指示する。なお、Ｗｅｂサーバ１が、電話がつながった時点でＷｅｂ情報の取得が指示されたものとみなすものでもよい。
【００３８】
Ｗｅｂサーバ１は、Ｗｅｂ情報の取得の指示を受けると、コールＩＤをコール情報記憶部１４に格納するとともに（ステップＳ１５）、アクセス情報を接続パス１０１を介して中継装置２に送信する（ステップＳ１６）。Ｗｅｂサーバ１の各部は、コール情報記憶部１４に記憶されたコールＩＤを参照して接続パス１０１を特定する。
【００３９】
中継装置２がアクセス情報を受信すると、そのアクセス情報の送信に利用された接続パス１０１を特定するコールＩＤとアクセス情報とを対応付けて中継情報記憶部２４に格納するとともに、アクセス情報に基づいて仮想アクセス情報を生成し、アクセス情報と仮想アクセス情報を対応付けて中継情報記憶部２４に格納する（ステップＳ１７）。そして、仮想アクセス情報をブラウザ装置３に送信する（ステップＳ１８）。
【００４０】
中継装置２に複数のブラウザ装置３が接続される場合、仮想アクセス情報の送信先のブラウザ装置３は以下のようにして決定する。まず、アクセス情報処理部２２が接続パス１０１を介してアクセス情報を受信したときに、中継情報記憶部２４を参照して接続パス１０１に対応するコールＩＤを特定し、そのコールＩＤに対応する電話機４を特定する。続いて、中継情報記憶部２４を参照し、特定した電話機４に対応するブラウザ装置３を特定する。なお、電話機４とブラウザ装置３との対応関係を格納せずに、ブラウザ装置３に優先順位を付けておき、優先順位に従って仮想アクセス情報の送信先のブラウザ装置３を決定する方法や、受信したアクセス情報の内容に応じて仮想アクセス情報の送信先のブラウザ装置３を決定する方法、あるいはアクセス情報を送信したＷｅｂサーバ１に応じて仮想アクセス情報の送信先のブラウザ装置３を決定する方法などが考えられる。
【００４１】
ブラウザ装置３は、仮想アクセス情報を受信すると、仮想アクセス情報に基づいてＷｅｂリクエストを送信する（ステップＳ１９）。
【００４２】
中継装置２は、ブラウザ装置３が送信したＷｅｂリクエストを受信し、そのＷｅｂリクエストが仮想アクセス情報に基づくものである場合は、そのＷｅｂリクエストの宛先を対応するアクセス情報に基づいて変換し（ステップＳ２０）、Ｗｅｂリクエストを接続パス１０１を介してＷｅｂサーバ１に送信する（ステップＳ２１）。
【００４３】
Ｗｅｂサーバ１はＷｅｂリクエストを受信すると、Ｗｅｂリクエストに対応するＷｅｂ情報を接続パス１０１を介して送信する（ステップＳ２２）。中継装置２は受信したＷｅｂ情報をブラウザ装置３へ送信する（ステップＳ２３）。
【００４４】
そして、ブラウザ装置３は、受信したＷｅｂ情報を利用者へ提示する（ステップＳ２４）。
【００４５】
次に、中継装置２におけるアクセス情報から仮想アクセス情報への変換について説明する。
【００４６】
図６は、アクセス情報を仮想アクセス情報に変換する例を示す模式図である。同図に示す例では、Ｗｅｂサーバ１には「１０．０．０．１０」、中継装置２の管理されたネットワーク１００側には「１０．０．０．２０」、宅内ネットワーク２００側には「１９２．１６８．０．１」、ブラウザ装置３には「１９２．１６８．０．２」のＩＰアドレスがそれぞれ割り当てられており、Ｗｅｂサーバ１はアクセス情報としてＷｅｂサーバ１自身のＩＰアドレスを送信するものとする。
【００４７】
利用者が電話機４でＷｅｂサーバ１に電話をかけると、Ｗｅｂサーバ１は、Ｗｅｂサーバ１自身のＩＰアドレス「１０．０．０．１０」を含むＵＲＬ「ｈｔｔｐ：／／１０．０．０．１０／」をアクセス情報として接続パス１０１を介して送信する。
【００４８】
中継装置２は、受信したアクセス情報から仮想アクセス情報を生成する。ここでは、Ｗｅｂサーバ１のＩＰアドレス「１０．０．０．１０」を仮想のＩＰアドレス「１７２．１６．０．１０」に変換したＵＲＬ「ｈｔｔｐ：／／１７２．１６．０．１０／」を仮想アクセス情報として生成する。仮想アクセス情報は、中継装置２がアクセス情報から生成したものであると識別可能であればよい。仮想アクセス情報が生成されると、アクセス情報と仮想アクセス情報との対応関係が中継情報記憶部２４に格納される。
【００４９】
ブラウザ装置３は、仮想アクセス情報（ＵＲＬ「ｈｔｔｐ：／／１７２．１６．０．１０／」）を受信すると、ＩＰアドレス「１７２．１６．０．１０」に対するＷｅｂリクエストを送信する。Ｗｅｂリクエストは、例えばＨＴＴＰのＧＥＴメソッドを用いた取得要求である。
【００５０】
中継装置２は、ブラウザ装置３から仮想のＩＰアドレス「１７２．１６．０．１０」に対するＷｅｂリクエストを受信すると、Ｗｅｂリクエストの宛先をＷｅｂサーバ１のＩＰアドレス「１０．０．０．１０」に変換し、接続パス１０１を介してそのＷｅｂリクエストをＷｅｂサーバ１に送信する。受信したＷｅｂリクエストが仮想アクセス情報に基づくものであるか否かは、中継情報記憶部２４に格納された仮想アクセス情報を検索して判定する。仮想アクセス情報が検索できたら、仮想アクセス情報に対応するアクセス情報を取得し、アクセス情報からコールＩＤを検索して接続パス１０１を特定し、接続パス１０１を介してＷｅｂリクエストをＷｅｂサーバ１に送信する。ブラウザ装置が送信したＷｅｂリクエストの送信先を含む仮想アクセス情報が存在しない場合、通常のＷｅｂアクセスであると判定し、通常の手順でＷｅｂリクエストを送信する。
【００５１】
このように、アクセス情報の代わりに仮想アクセス情報をブラウザ装置３に送信することで、接続パス１０１を利用するＷｅｂアクセスと通常のＷｅｂアクセスとを区別することができる。
【００５２】
ブラウザ装置３がＷｅｂサーバ１から取得したＷｅｂ情報には画像やフレームなど他のＷｅｂ情報を取得する記述が存在する場合がある。具体的には、Ｗｅｂ情報がＨＴＭＬ（ＨｙｐｅｒＴｅｘｔ  Ｍａｒｋｕｐ  Ｌａｎｇｕａｇｅ）で記述されたファイルであって、ＩＭＧタグやＦＲＡＭＥタグ等で他のＷｅｂ情報を取得する記述がある。このような場合、ブラウザ装置３のＷｅｂ情報処理部３２は、それらの他のＷｅｂ情報も取得して利用者に提示する。しかしながら、他のＷｅｂ情報の取得先としてＷｅｂサーバ１以外の外部のサーバが指定されていた場合、他のＷｅｂ情報を取得するためのＷｅｂリクエストの送信先は中継装置２において変換されず、Ｗｅｂ情報において指定された外部のサーバに送信され、外部のサーバからＷｅｂ情報を取得することとなり、セキュリティ上好ましくない。
【００５３】
そこで、Ｗｅｂ情報処理部３２は、取得したＷｅｂ情報の内容を検証し、仮想アクセス情報で示されたサーバ以外へのアクセスを抑制する。
【００５４】
例えば、Ｗｅｂ情報処理部３２は、アクセス情報受信部３１の指示によりＷｅｂサーバ１から取得したＷｅｂ情報に、別のサーバからＷｅｂ情報を取得する記述が存在する場合に、そのＷｅｂ情報の取得を行わない、つまり、仮想アクセス情報で示されたサーバ以外へのアクセスが発生するＷｅｂ情報は取得しない。
【００５５】
あるいは、Ｗｅｂ情報処理部３２は、アクセス情報受信部３１の指示によりＷｅｂサーバ１から取得したＷｅｂ情報に、別のサーバからＷｅｂ情報を取得する記述が存在する場合に、そのＷｅｂ情報の取得先をＷｅｂサーバ１に置き換えてそのＷｅｂ情報を取得する、つまり、仮想アクセス情報で示されたサーバ以外へのアクセスが発生するＷｅｂ情報の取得先を仮想アクセス情報で示されたサーバに置き換えてそのＷｅｂ情報を取得する。
【００５６】
これらの処理により、利用者がＷｅｂ情報の取得を望むＷｅｂサーバ１以外へのアクセスを防ぐことができる。
【００５７】
以上説明したように、本実施の形態によれば、中継装置２に接続された電話機４を用いてＷｅｂサーバ１に電話を掛けて接続パス１０１を確立する。Ｗｅｂサーバ１がその接続パス１０１を介してアクセス情報を中継装置２に送信すると、中継装置２がアクセス情報から仮想アクセス情報を生成してブラウザ装置３へ送信する。中継装置２は、ブラウザ装置３が仮想アクセス情報に基づいて送信したＷｅｂリクエストを受信したときに、そのＷｅｂリクエストの送信先を対応するアクセス情報に基づいて変換し、接続パス１０１を介してＷｅｂサーバ１に送信する。そして、Ｗｅｂリクエストを受信したＷｅｂサーバ１からＷｅｂ情報がブラウザ装置３に送信される。このように、本実施の形態におけるコンテンツ提供システムを用いることで、Ｗｅｂサーバ１に電話を掛けることで、管理されたネットワーク１００上に確立された接続パス１０１を利用してＷｅｂ情報を取得できる。
【００５８】
通常のブラウザからのアクセスは、ＩＰアドレスがアクセス毎に変更されたり、Ｃｏｏｋｉｅを利用した場合でもＣｏｏｋｉｅは利用者によって削除されるため、利用者の利用履歴等を記録し続けることが難しいが、本実施の形態によれば、電話番号によって利用者を特定できるため、Ｗｅｂサーバ１の利用履歴等を記録し続けることが容易である。
【００５９】
本実施の形態では、コンテンツとしてＷｅｂ情報を例とし、コンテンツ提供装置としてＷｅｂサーバ１を用いて説明したが、これに限るものではなく、コンテンツの取得要求を受信してコンテンツを送信するものであれば、コンテンツ提供装置としてメールサーバを用いてもよいし、動画や音楽などのコンテンツを提供するサーバを用いるものでもよい。
【符号の説明】
【００６０】
１…Ｗｅｂサーバ
１１…電話制御部
１２…アクセス情報応答部
１３…Ｗｅｂ応答部
１４…コール情報記憶部
２１…電話機能部
２２…アクセス情報処理部
２３…中継部
２４…中継情報記憶部
２…中継装置
３１…アクセス情報受信部
３２…Ｗｅｂ情報処理部
３…ブラウザ装置
４…電話機
１００…管理されたネットワーク
１０１…接続パス
２００…宅内ネットワーク
【図１】
0005555120.tif 000002
【図２】
0005555120.tif 000003
【図３】
0005555120.tif 000004
【図４】
0005555120.tif 000005
【図５】
0005555120.tif 000006
【図６】
0005555120.tif 000007